(57)【要約】  【課題】  筐体に収める機器の変更を容易に行なうことのできる自動演奏装置を提供する。  【解決手段】  複数の楽曲データを蓄積するとともに楽曲データを再生するＤＶＤ装置３およびＡＶアンプ４と、ＤＶＤ装置３およびＡＶアンプ４が再生する楽曲データを選択する操作部６８と、操作部６８で選択された楽曲データを出力するスピーカ５ａ、５ｂと、ＤＶＤ装置３、ＡＶアンプ４およびスピーカ５ａ、５ｂを内蔵するキャビネット２と、キャビネット２に対するＤＶＤ装置３およびＡＶアンプ４の固定位置を変化させるための可動固定部材３１、３２、３３、３４と、を備える。【選択図】  図２
2005166133.tif 000002
【特許請求の範囲】
【請求項１】
複数の楽曲データを蓄積するとともに楽曲データを再生する再生手段と、
前記再生手段が再生する楽曲データを選択する選択手段と、
前記選択手段で選択された楽曲データを出力するスピーカと、
前記再生手段および前記スピーカを内蔵する筐体と、
前記筐体に対する前記再生手段の固定位置を変化させるための可動固定手段と、を備えたことを特徴とする自動演奏装置。
【請求項２】
前記可動固定手段は、ネジ部と、前記ネジ部に螺合するネジ孔を有する当接部とからなることを特徴とする請求項１に記載の自動演奏装置。
【発明の詳細な説明】
【技術分野】
【０００１】
本発明は、筐体内にＤＶＤ装置またはＡＶアンプ等の機器を備えた自動演奏装置に関するものである。
【背景技術】
【０００２】
従来の自動演奏装置は、ＤＶＤ装置を筐体内に固定し、ＤＶＤ装置で再生される映像をディスプレイに表示するようになっている。（例えば、特許文献１参照）。
【特許文献１】特開２００３−１７３１９２号公報（第２図など）
【発明の開示】
【発明が解決しようとする課題】
【０００３】
しかしながら、従来の自動演奏装置は、ＤＶＤ装置が取り外しや交換が容易にはできない状態で筐体に固定されているため、他のＤＶＤ装置に交換することは困難であった。例え、ＤＶＤ装置を取り外すことができても、装置の横幅の寸法が異なるＤＶＤ装置を容易にかつ強固に筐体に固定することは更に困難であるという問題があった。
【０００４】
本発明は、このような従来の問題を解決するためになされたもので、筐体に収める機器の変更を容易に行なうことのできる自動演奏装置を提供することを目的とする。
【課題を解決するための手段】
【０００５】
上記問題を解決するために、本発明の自動演奏装置は、複数の楽曲データを蓄積するとともに楽曲データを再生する再生手段（例えば、ＤＶＤ装置３およびＡＶアンプ４）と、前記再生手段が再生する楽曲データを選択する選択手段（例えば、操作部６８）と、前記選択手段で選択された楽曲データを出力するスピーカ（例えば、スピーカ５ａ、５ｂ）と、前記再生手段および前記スピーカを内蔵する筐体（例えば、キャビネット２）と、前記筐体に対する前記再生手段の固定位置を変化させるための可動固定手段（例えば、可動固定部材３１、３２、３３、３４）と、を備えたことを特徴とする。
【０００６】
また、本発明の自動演奏装置は、前記可動固定手段は、ネジ部と、前記ネジ部に螺合するネジ孔を有する当接部とからなることを特徴とする。
【発明の効果】
【０００７】
本発明は、筐体に対する再生手段の固定位置を変化させるための可動固定手段（可動固定部材）と、を備えたことにより、筐体に収める機器の変更を容易に行なうことのできる自動演奏装置を提供することができる。
【発明を実施するための最良の形態】
【０００８】
以下、本発明の実施の一形態に係る自動演奏装置について、図面を用いて説明する。
【０００９】
まず、構成を説明する。図１乃至図４は、それぞれ本発明に係る自動演奏装置の正面斜視図、背面図、側面図、ブロック構成図を示す。なお、図２は、背面板７を取り外した状態を示す。また、本実施形態では、ＤＶＤ装置３およびＡＶアンプ４は再生手段を構成し、操作部６８は選択手段を構成する。また、キャビネット２は筐体を構成し、ネジ部３１ａ、３２ａ、３３ａ、３４ａは可動部材を構成し、可動固定部材３１、３２、３３、３４は可動固定手段を構成する。
【００１０】
自動演奏装置１は、複数の楽曲データを記録するＤＶＤ（デジタル・バーサタイル・ディスク）−ＲＯＭが装填されたＤＶＤ装置３と、ＤＶＤ装置３から送られる楽曲データを増幅するＡＶアンプ４と、ＡＶアンプ４により増幅された楽曲データを出力する左右２つのスピーカ５ａ、５ｂと、ＤＶＤ装置３及びＡＶアンプ４に指示入力をする操作部６８と、操作部６８からの指示に基づいてＤＶＤ装置３及びＡＶアンプ４等を制御する制御回路１２と、上記ＤＶＤ装置３、ＡＶアンプ４、制御回路１２およびスピーカ５ａ、５ｂを収納するキャビネット（筐体）２とを含んで構成される。キャビネット２は前面パネル部６、棚板２２ａ、２２ｂ、２２ｃ、２２ｄおよび背面板７（図３参照）を有しており、ＤＶＤ装置３は棚板２２ｂに、ＡＶアンプ４は棚板２２ｃに、スピーカ５ａ、５ｂは棚板２２ｄにそれぞれ載置される。棚板２２ａには正面からガラス窓６１ａを通して見ることのできる構造物、本実施形態では人形２１を載置するようになっている。ガラス窓６１ａはヒンジ６１を支点として開閉可能に設けられており、棚板２２ａに載置する構造物を交換することができるようになっている。
【００１１】
また、自動演奏装置１は、キャビネット２の正面を構成する前面パネル部６に、複数の照明を有する電飾照明部６４ａ、６４ｂを備えており、前面パネル部６に設けられた照明ボタン６２をオン操作することにより、制御回路１２の制御に基づいて電飾照明部６４ａ、６４ｂが点灯および消灯するようになっている。
【００１２】
また、前面パネル部６には主電源ボタン６３が設けられ、上記ＤＶＤ装置３、ＡＶアンプ４、電飾照明部６４ａ、６４ｂに供給する電源のオン操作及びオフ操作をするようになっている。
【００１３】
また、前面パネル部６には、ＤＶＤ装置３に再生させる楽曲の選択操作およびＡＶアンプ４の音量調整操作等をするための操作部６８が設けられている。操作部６８には数字の記された複数のキーが設けられ、楽曲の番号をキー入力することより楽曲の選択操作が行なわれる。操作部６８から入力された楽曲の番号は赤外線により出力され、液晶表示部４１ａ、４１ｂに近接して設けられた図示しない赤外線受光部がこれを受光するようになっている。操作部６８の左右にはＤＶＤ−ＲＯＭが記録する楽曲の楽曲名および楽曲番号が記された曲名プレート６５が設けられており、利用者は操作部６８から楽曲番号を入力することにより所望の楽曲を再生するようになっている。なお、操作部６８と同様に構成され自動演奏装置１と別体の赤外線リモコンからの指示により楽曲の選択等をするようにしてもよい。
【００１４】
本発明の実施の一形態に係る自動演奏装置１の制御系を図４に示す。図４において、自動演奏装置１は、ＤＶＤ装置３と、ＡＶアンプ４と、スピーカ５ａ、５ｂと、制御回路１２と、操作部６８と、電飾ランプ６４ａ、６４ｂと、照明ボタン６２と、主電源ボタン６３と、で構成されている。ここで、操作部６８は、楽曲番号をＤＶＤ装置３又はＡＶアンプ４に送信し、ＡＶアンプ４は、この楽曲番号に応じてＤＶＤ‐ＲＯＭに記憶されている楽曲データを取出す。また、ＡＶアンプ４は、音声出力端子から楽曲データを出力し、このデータは、制御回路１２、スピーカ５ａ、５ｂに入力される。制御回路１２は、これらの入力されたデータにより、電飾照明部６４ａ、６４ｂを制御している。ここで、制御回路１２は、これらの入力されたデータにより、電飾照明部６４ａ、６４ｂの点灯の要否を判断し、電飾照明部６４ａ、６４ｂの点灯、消灯を制御している。なお、制御回路１２は、１つの楽曲の演奏が終了する度に電飾照明部６４ａ、６４ｂを消灯させるように制御してもよい。
【００１５】
また、本実施形態では、棚板２２ｂに載置されたＤＶＤ装置３、および棚板２２ｃに載置されたＡＶアンプ４は、可動固定部材３１、３２、３３、３４によりキャビネット２に固定されている。ここでは、ＤＶＤ装置３の固定について詳しく説明する。図３に示すように、ＤＶＤ装置３の両端とキャビネット２の側壁との間には、可動固定部材３１、３２が設けられている。可動固定部材３１、３２はそれぞれ、ネジ部３１ａ、３２ａと、このネジ部３１ａ、３２ａと螺合するネジ孔を有するとともにＤＶＤ装置３の側面に当接する当接部３１ｂ、３２ｂとから構成されている。可動固定部材３１、３２は、ネジ部３１ａ、３２ａを回転させることにより当接部３１ｂ、３２ｂを移動させることができる。この当接部３１ｂ、３２ｂを適宜の位置で停止させることによりＤＶＤ装置３を固定させる。また、ＡＶアンプ４についても同様で、可動固定部材３３、３４によってＡＶアンプ４をキャビネット２に固定するようになっている。これにより、キャビネット２に対するＤＶＤ装置３の固定位置、及びキャビネット２に対するＡＶアンプ４の固定位置を変化させることができ、従って、ＤＶＤ装置３またはＡＶアンプ４の横幅の寸法が異なるものに変更する場合でも、容易に交換をすることができる。
【００１６】
このような本発明の実施の一形態に係る自動演奏装置１によれば、キャビネット２に対するＤＶＤ装置３およびＡＶアンプ４の固定位置を変化させるための可動固定部材３１、３２、３３、３４を備えたので、機器の変更を容易に行なえることが期待できる。
【００１７】
また、上述した実施形態によれば、可動固定部材３１、３２が、ネジ部３１ａ、３２ａと、ネジ部３１ａ、３２ａに螺合するネジ孔を有する当接部３１ｂ、３２ｂとからなるようにしているので、強固に固定できることが期待できる。
【図面の簡単な説明】
【００１８】
【図１】本発明の実施の一形態に係る自動演奏装置の外観を示す正面斜視図である。
【図２】本発明の実施の一形態に係る自動演奏装置の背部の外観を示す背面図である。
【図３】本発明の実施の一形態に係る自動演奏装置の内部配置を示す側面図である。
【図４】本発明の実施の一形態に係る自動演奏装置の要部構成を示すブロックである。
【符号の説明】
【００１９】
１  自動演奏装置
２  キャビネット（筐体）
３  ＤＶＤ装置（再生手段）
４  ＡＶアンプ（再生手段）
５ａ、５ｂ  スピーカ
６  前面パネル部
２１  人形（構造物）
２２ａ、２２ｂ、２２ｃ、２２ｄ  棚板
３１、３２、３３、３４  可動固定部材（可動固定手段）
３１ａ、３２ａ、３３ａ、３４ａ  ネジ部
３１ｂ、３２ｂ、３３ｂ、３４ｂ  当接部
４１ａ、４１ｂ  液晶表示部
６１  ヒンジ
６１ａ  ガラス窓
６２  照明ボタン
６３  主電源ボタン
６４ａ、６４ｂ  電飾照明部
６８  操作部（選択手段）
【図１】
2005166133.tif 000003
【図２】
2005166133.tif 000004
【図３】
2005166133.tif 000005
【図４】
2005166133.tif 000006